(57)【特許請求の範囲】
【請求項１】
記録及び／又は再生が可能な第１記録層と第２記録層とを有し、前記第１記録層のトラックスパイラル方向が中心から外側に向かうとともに、第２記録層のトラックスパイラル方向が外側から中心に向かうように逆方向に形成された光ディスクであって、
前記第１記録層で物理的なアドレスが減少し、記録されるアドレスが増加するように構成され、
前記第２記録層で物理的なアドレスが増加し、記録されるアドレスが減少するように構成されたことを特徴とする光ディスク。
【発明の詳細な説明】
【０００１】
【発明の属する技術分野】
本発明は光ディスクに係り、より詳しくは第１記録層と第２記録層との各層に関する別途の情報を記録せずに記録層が区別できる光ディスクに関する。
【０００２】
【従来の技術】
光ディスクドライブにおいて、再生するディスク上の位置を判別するための物理的な位置認識のために記録する情報をＰＩＤ（Ｐｈｙｓｉｃａｌ Ｉｄｅｎｔｉｆｉｃａｔｉｏｎ Ｄａｔａ）と言い、一般にＰＩＤはセクタ単位に記録及び／又は再生される記録及び／再生媒体における物理的なセクタのアドレス情報に該当する。これはディスク上の任意の位置にデータを記録し、該当位置を探すために必須の情報である。
【０００３】
ＲＯＭ（Ｒｅａｄ Ｏｎｌｙ Ｍｅｍｏｒｙ）ディスクでは基本記録単位のセクタの先頭に位置したヘッダ部のＩＤ領域内に一定ビットを用いてアドレスを記録している。
【０００４】
図１Ａを参照すれば、従来のデュアルレイヤディスクにおいてトラックのスパイラル方向が第１レイヤＬ０’と第２レイヤＬ１’とで全て同一な方向になっている平行スパイラルトラックディスクが示されている。ここで、図１Ｂに示すようにセクタアドレスが第１及び第２レイヤで各々ディスクの中心Ｒｉｎから外側Ｒｏｕｔ方向へ増加する。この際、連続再生の場合にはディスクの中心から外側へ移りつつ第１レイヤＬ０’を再生し、再びディスク中心へ移動して外側方向へ第２レイヤＬ１’を再生する。このように第１レイヤ再生後に第２レイヤを再生するために再びディスク中心へ移動させるならば、移動時間だけではなく図１Ｃのように線速の減少により追加アクセス時間が必要である。
【０００５】
これを補償するため、図２Ａのように第１レイヤＬ０’と第２レイヤＬ１’とのトラックスパイラル方向を逆に形成する。そして、第１レイヤＬ０’のセクタアドレスをディスク中心Ｒｉｎから外側Ｒｏｕｔ方向へ増加させる一方、第２レイヤＬ１’のセクタアドレスを連続的に外側から中心方向へ増加させることにより、第１レイヤから第２レイヤへのピックアップアクセス時間を縮められる。これを逆スパイラルトラック（ｏｐｐｏｓｉｔｅ ｓｐｉｒａｌ ｔｒａｃｋ ｐａｔｈ）という。特に、米国特許第５，８８１，０３２号では複数の層まで考慮してセクタアドレス番号を配置している。
【０００６】
一方、現在ＤＶＤデュアルディスクでＬ０とＬ１とを区分する方法は、基本記録単位のセクタの先頭に位置したＩＤ領域内の一定ビットを用いて区分している。しかし、記録可能なディスクの場合、グルーブ上のウォブルに基本記録単位情報とレイヤ情報を入れようとする場合、反復記録時にウォブル特性が劣化されてセクタ又はレイヤ情報が感知できない。
【０００７】
例えば、ＤＶＤ−ＲＡＭの場合、予めヘッダ領域内にピット状でレイヤ情報を含んだアドレス情報が入っている。しかし、このような場合にも実際記録時、ＤＩＤ（Ｄａｔａ Ｉｄｅｎｔｉｆｉｃａｔｉｏｎ Ｄａｔａ）という領域内に再び反復してレイヤ情報が二重に記録されている。これは記録する時に物理的なアドレスが必要なだけではなく、より信頼性があるアドレッシングをするためのものである。しかし、レイヤ情報が二重に入っているため、高密度化によるオーバヘッドを誘発する。
【０００８】
ここで、現在記録及び／又は再生が可能な光ディスクであって、デュアルレイヤディスクに対する規格がないので、これに対する規定が要求され、高密度化による使用者データ以外の情報を効率的に記録する必要がある。
【０００９】
【発明が解決しようとする課題】
本発明の目的は第１記録層と第２記録層とを有するデュアルレイヤディスクで基本記録単位の物理的なアドレスと記録時に記録されるアドレスを記録した光ディスクを提供することである。
【００１０】
【課題を解決するための手段】
本発明に係る光ディスクは、前記の目的を達成するために、記録及び／又は再生が可能な第１記録層と第２記録層とを有し、前記第１記録層のトラックスパイラル方向が中心から外側に向かうとともに、第２記録層のトラックスパイラル方向が外側から中心に向かうように逆方向に形成された光ディスクであって、
前記第１記録層で物理的なアドレスが減少し、記録されるアドレスが増加するように構成され、
前記第２記録層で物理的なアドレスが増加し、記録されるアドレスが減少するように構成されたことを特徴とする。
【００１１】
【００１２】
【００１３】
【００１４】
【００１５】
【００１６】
【００１７】
【００１８】
【００１９】
【００２０】
【００２１】
【００２２】
【００２３】
【００２４】
【００２５】
【発明の実施の形態】
以下、添付した図面を参照して本発明の望ましい実施形態を詳細に説明する。
【００２６】
本発明に係る光ディスクは、第１記録層Ｌ０と第２記録層Ｌ１とを有した記録及び／又は再生可能なディスクであって、前記第１記録層Ｌ０と第２記録層Ｌ１とに各々基本記録単位の物理的なアドレスと記録時に記録される基本記録単位のアドレスを有する。
【００２７】
本発明の第１参考例による光ディスクは第１記録層Ｌ０と第２記録層Ｌ１とのスパイラル方向が同一に形成された平行スパイラルトラック型光ディスクであって、物理的なアドレスＰ１と記録されるアドレスＲ１とが前記第１記録層Ｌ０の中心から外側へ移りつつ増加又は減少し、連続的に物理的なアドレスＰ２と記録されるアドレスＲ２とが第２記録層Ｌ１の中心から外側へ移りつつ増加又は減少するように成されている。
【００２８】
図３Ａ乃至図３Ｄを参照すれば、前記第１記録層Ｌ０と第２記録層Ｌ１とで、物理的なアドレスＰ１，Ｐ２と記録されるアドレスＲ１，Ｒ２とが共に増加又は減少する。即ち、第１記録層Ｌ０で物理的なアドレスＰ１と記録されるアドレスＲ１とが共に増加し又は減少し、第２記録層Ｌ１で物理的なアドレスＰ１と記録されるアドレスＲ２とが共に増加し又は減少する。
【００２９】
又は、図４Ａ乃至図４Ｄに示されたように、前記第１記録層Ｌ０で物理的なアドレスＰ１と記録されるアドレスＲ１とが共に減少し又は増加する一方、第２記録層Ｌ１では、物理的なアドレスＰ２が増加し又は減少し、記録されるアドレスＲ２が前記物理的なアドレスＰ２の増減と逆に増加し又は減少するようにできる。即ち、一例として図４Ａに示されたように前記第１記録層Ｌ０では物理的なアドレスＰ１と記録されるアドレスＲ１とが共に増加し、第２記録層Ｌ１では物理的なアドレスＰ２が増加する一方、記録されるアドレスＲ２が減少する。
【００３０】
さらに他の方式として、図５Ａ乃至図５Ｄに示すように、前記第１記録層Ｌ０で物理的なアドレスＰ１が増加又は減少し、記録されるアドレスが前記物理的なアドレスＰ１の増減と逆に増加又は減少するようにできる。これと異なり、前記第２記録層Ｌ１では物理的なアドレスＰ２と記録されるアドレスＲ２とが共に増加又は減少するように成されている。即ち、一例として前記第１記録層Ｌ０で前記物理的なアドレスＰ１が増加する一方、前記記録されるアドレスＲ１が減少し、前記第２記録層Ｌ１で物理的なアドレスＰ２と記録されるアドレスＲ２とが共に増加（図５Ａ参照）又は減少（図５Ｂ参照）するように成されている。
【００３１】
又は、図６Ａ乃至図６Ｄに示すように、前記第１記録層Ｌ０で前記物理的なアドレスＰ１が増加し又は減少し、前記記録されるアドレスＲ１が前記物理的なアドレスＰ１の増減と逆に増加又は減少するようにできる。さらに、前記第２記録層Ｌ１では前記物理的なアドレスＰ２が増加し又は減少し、前記記録されるアドレスＲ２が前記物理的なアドレスＰ２の増減と逆に増加又は減少するようにできる。
【００３２】
一例として、図６Ａに示したように、前記第１記録層Ｌ０で前記物理的なアドレスＰ１が減少し、前記記録されるアドレスＲ１が増加する一方、前記第２記録層Ｌ１で前記物理的なアドレスＰ２が増加し、前記記録されるアドレスＲ２が減少する場合がある。又は、図６Ｂに示したように前記第１記録層Ｌ０で前記物理的なアドレスＰ１が減少し、前記記録されるアドレスＲ１が増加する一方、前記第２記録層Ｌ１で前記物理的なアドレスＰ２が減少し、前記記録されるアドレスＲ２が増加する場合がある。
【００３３】
前記の例において、前記物理的なアドレスＰ１，Ｐ２は基本記録単位の先頭にピット状に記録できる。又は、前記トラックにウォブル形態に記録できる。
【００３４】
次は、本発明の他の参考例による光ディスクとして、第１記録層Ｌ０と第２記録層Ｌ１とのスパイラル方向が逆に形成された逆スパイラルトラック型光ディスクについて説明する。
【００３５】
本発明の第２参考例による光ディスクは、第１記録層Ｌ０と第２記録層Ｌ１とを有した記録及び／又は再生可能なディスクであって、物理的なアドレスＰ１と記録されるアドレスＲ１とが前記第１記録層Ｌ０の中心から外側へ移りつつ増加又は減少し、連続的に物理的なアドレスＰ２と記録されるアドレスＲ２とが第２記録層Ｌ１の外側から中心へ移りつつ増加又は減少するように構成されたものであり、第１逆スパイラルトラック型光ディスクという。
【００３６】
又、本発明の第３参考例による光ディスクは第１記録層Ｌ０と第２記録層Ｌ１とを有した記録及び／又は再生可能なディスクであって、物理的なアドレスＰ１と記録されるアドレスＲ１とが前記第１記録層Ｌ０の外側から中心へ移りつつ増加又は減少し、連続的に物理的なアドレスＰ２と記録されるアドレスＲ２とが第２記録層Ｌ１の中心から外側へ移りつつ増加又は減少するように構成されたものであり、第２逆スパイラルトラック型光ディスクという。
【００３７】
前記第１逆スパイラルトラック型光ディスク及び第２逆スパイラルトラック型光ディスクにも前述した平行スパイラルトラック型光ディスクに適用された全ての場合が適用できる。
【００３８】
先ず、前記第１逆スパイラルトラック型光ディスクにおいて、第１記録層Ｌ０で記録層の中心（Ｒｉｎ）から外側（Ｒｏｕｔ）へ移りつつ物理的なアドレスＰ１と記録されるアドレスＲ１とが共に増加し又は減少し、第２記録層Ｌ１で記録層の外側（Ｒｏｕｔ）から中心（Ｒｉｎ）へ移りつつ物理的なアドレスＰ２と記録されるアドレスＲ２とが共に増加し又は減少しうる。例えば、図７Ａに示すように、第１記録層Ｌ０で記録層の中心から外側へ移りつつ物理的なアドレスＰ１と記録されるアドレスＲ１とが共に増加し、第２記録層Ｌ１で記録層の外側から中心へ移りつつ物理的なアドレスＰ２と記録されるアドレスＲ２とが共に増加する場合がある。
【００３９】
又、前記第２逆スパイラルトラック型光ディスクにおいて、第１記録層Ｌ０で記録層の外側（Ｒｏｕｔ）から中心（Ｒｉｎ）へ移りつつ物理的なアドレスＰ１と記録されるアドレスＲ１とが共に増加し又は減少し、第２記録層Ｌ１で記録層の中心Ｒｉｎから外側Ｒｏｕｔへ移りつつ物理的なアドレスＰ１と記録されるアドレスＲ２とが共に増加し又は減少しうる。例えば、図８Ａに示すように、第１記録層Ｌ０で記録層の外側から中心へ移りつつ物理的なアドレスＰ１と記録されるアドレスＲ１とが共に増加し、第２記録層Ｌ１で記録層の中心から外側へ移りつつ物理的なアドレスＰ２と記録されるアドレスＲ２とが共に増加する場合がある。
【００４０】
又は、前記第１記録層Ｌ０で記録層の中心から外側へ移りつつ物理的なアドレスＰ１と記録されるアドレスＲ１とが共に減少し又は増加する一方、第２記録層Ｌ１では記録層の外側から中心へ移りつつ物理的なアドレスＰ２が増加し又は減少し、記録されるアドレスＲ２が前記物理的なアドレスＰ２の増減と逆に増加し又は減少するようにできる。一例として図７Ｂに示されたように前記第１記録層Ｌ０では記録層の中心から外側へ移りつつ物理的なアドレスＰ１と記録されるアドレスＲ１とが共に増加し、第２記録層Ｌ１では記録層の外側から中心へ移りつつ物理的なアドレスＰ２が増加する一方、記録されるアドレスＲ２が減少する。
【００４１】
これと類似するように、前記第１記録層Ｌ０で記録層の外側から中心へ移りつつ物理的なアドレスＰ１と記録されるアドレスＲ１とが共に減少し又は増加する一方、第２記録層Ｌ１では記録層の中心から外側へ移りつつ物理的なアドレスＰ２が増加し又は減少し、記録されるアドレスＲ２が前記物理的なアドレスＰ２の増減と逆に増加し又は減少するようにできる。その一例が図８Ｂに示されている。
【００４２】
次は、本発明の参考例による光ディスクとして、第１記録層Ｌ０と第２記録層Ｌ１とのスパイラル方向が逆に形成された逆スパイラルトラック型光ディスクについて説明する。本発明の第4参考例として、前記第１記録層の中心から外側へ移りつつ物理的なアドレスＰ１が増加又は減少し、記録されるアドレスが前記物理的なアドレスＰ１の増減と逆に増加又は減少するようにできる。これとは異なり、前記第２記録層Ｌ１では記録層の外側から中心へ移りつつ物理的なアドレスＰ２と記録されるアドレスＲ２とが共に増加又は減少するように成されている。その一例が図７Ｃに示されている。
【００４３】
本発明の第６参考例として、前記第２逆スパイラルトラック型光ディスクについては、前記第１記録層Ｌ０で記録層の外側から中心へ移りつつ物理的なアドレスＰ１が増加又は減少し、記録されるアドレスが前記物理的なアドレスＰ１の増減と逆に増加又は減少するようにできる。これとは異なり、前記第２記録層Ｌ１では記録層の中心から外側へ移りつつ物理的なアドレスＰ２と記録されるアドレスＲ２とが共に増加又は減少するように成されている。その一例が図８Ｃに示されている。
【００４４】
本発明の第1実施形態として、図７Dに示されたように前記第１記録層Ｌ０で記録層の中心から外側へ移りつつ前記物理的なアドレスＰ１が減少し、前記記録されるアドレスＲ１が前記物理的なアドレスＰ１の減少と逆に増加するようにする。そうしつつ、前記第２記録層Ｌ１では記録層の外側から中心へ移りつつ前記物理的なアドレスＰ２が増加し、前記記録されるアドレスＲ２が前記物理的なアドレスＰ２の増加と逆に減少するようにする。
【００４５】
又は、本発明の第７参考例として、図８Ｄに示されたように、前記第１記録層Ｌ０で記録層の外側から中心へ移りつつ前記物理的なアドレスＰ１が増加し又は減少し、前記記録されるアドレスＲ１が前記物理的なアドレスＰ１の増減と逆に増加又は減少するようにできる。そうしつつ、前記第２記録層Ｌ１では記録層の中心から外側へ移りつつ前記物理的なアドレスＰ２が増加し又は減少し、前記記録されるアドレスＲ２が前記物理的なアドレスＰ２の増減と逆に増加又は減少するようにできる。
【００４６】
ここで、前記平行スパイラルトラック型光ディスクと第１，第２逆スパイラルトラック型光ディスクとを比較する時、第１記録層と第２記録層とで前記物理的なアドレスと記録されるアドレスとの増減方向が異なるだけで、アドレスの増加又は減少による配列は全て同一に適用できる。従って、前記平行スパイラルトラック型光ディスクで前述した全ての場合が前記第１，第２逆スパイラルトラック型光ディスクにも適用でき、これについての詳細な説明は略する。
【００４７】
又、少なくとも２つ以上の記録層を有する光ディスクに前記のような物理的なアドレスと記録されるアドレスとの配列構造を応用して適用できる。即ち、少なくとも２つ以上の記録層を有する光ディスクで各記録層毎に物理的なアドレスと記録されるアドレスとを増加又は減少させ得る。従って、各記録層毎に物理的なアドレスと記録されるアドレスとの増加又は減少が種々の方式で組み合わせることができる。
【００４８】
第１記録層と第２記録層とにおける物理的なアドレスと記録されるアドレスとの増減及び増減方向による順序対により表示すれば次の通りである。ここで、第１記録層と第２記録層とは各々１と２とに表記し、物理的なアドレスはＰと、記録されるアドレスはＲと示し、アドレスの増加はｉと、アドレスの減少はｄと示した。したがって、（１Ｐｄ，１Ｒｉ）（２Ｐｉ，２Ｒｄ）は第１記録層及び第２記録層で物理的なアドレスが減少または増加し、記録されるアドレスが物理的なアドレスとは逆に増加または減少することを意味する。
【００５０】
以上の場合を記録可能な第１及び第２逆スパイラルトラックディスクに各々適用できる。一方、前記物理的なアドレスＰ１，Ｐ２は基本記録単位の先頭にピット状で記録でき、又は前記トラックにウォブル形態で記録できる。
【００５１】
次は、前記のように第１記録層Ｌ０と第２記録層Ｌ１とを有する記録及び／又は再生可能な光ディスクで各記録層を認識する方法について説明する。
【００５２】
上記参考例は前記第１記録層と第２記録層とで各々基本記録単位の物理的なアドレスの増減を異なるように形成することにより記録層を認識するようにする。第１記録層Ｌ０で前記物理的なアドレスＰ１を増加させる一方、前記第２記録層Ｌ１では物理的なアドレスＰ２を減少させることにより第１記録層と第２記録層とを区別できる。
【００５３】
又は、第１記録層で物理的なアドレスを減少させる一方、前記第２記録層では物理的なアドレスを増加させる。以上のように本発明では物理的なアドレスの増減により記録層が区別できるようにすることにより、記録層に対する別途の情報を記録する必要がないため使用者データ領域をさらに効率的に使用できる。
【００５４】
【発明の効果】
本発明に係る光ディスクは、高密度光ディスクに対する要請に応じて記録、消去及び再生が可能な光ディスクとして記録層が第１記録層Ｌ０と第２記録層Ｌ１との二つの層より成ったデュアルレイヤディスクに対する規格を提案している。
【００５５】
又、本発明は、前記第１記録層と第２記録層とのトラックスパイラル方向を逆に形成した光ディスクであって２層のうちの各層における物理的なアドレスの増減と記録されるアドレスの増減により記録層が区別できるようにし、記録層に対する情報を二重に記録する必要がなく、これにより使用者データ領域使用効率を向上させる。
【図面の簡単な説明】
【図１Ａ】  平行スパイラルトラック型光ディスクのスパイラル方向を概略的に示した図面である。
【図１Ｂ】  従来の再生専用光ディスクでセクタアドレスが記録される一例を説明するための図面である。
【図１Ｃ】  従来の再生専用光ディスクの再生時にディスクの半径に応じるディスクの回転速度及び再生方向を示した図面である。
【図２Ａ】  逆スパイラルトラック型光ディスクのスパイラル方向を概略的に示した図面である。
【図２Ｂ】  従来の再生専用光ディスクでセクタアドレスが記録される他の例を説明するための図面である。
【図２Ｃ】  従来の再生専用光ディスクの再生時にディスクの半径に応じるディスクの回転速度及び再生方向を示した図面である。
【図３Ａ】  本発明の第１参考例による平行スパイラルトラック型光ディスクで物理的なアドレスと記録されるアドレスとの増減方向を示した図面である。
【図３Ｂ】  本発明の第１参考例による平行スパイラルトラック型光ディスクで物理的なアドレスと記録されるアドレスとの増減方向を示した図面である。
【図３Ｃ】  本発明の第１参考例による平行スパイラルトラック型光ディスクで物理的なアドレスと記録されるアドレスとの増減方向を示した図面である。
【図３Ｄ】  本発明の第１参考例による平行スパイラルトラック型光ディスクで物理的なアドレスと記録されるアドレスとの増減方向を示した図面である。
【図４Ａ】  本発明の第１参考例による平行スパイラルトラック型光ディスクで物理的なアドレスと記録されるアドレスとの増減方向を示した図面である。
【図４Ｂ】  本発明の第１参考例による平行スパイラルトラック型光ディスクで物理的なアドレスと記録されるアドレスとの増減方向を示した図面である。
【図４Ｃ】  本発明の第１参考例による平行スパイラルトラック型光ディスクで物理的なアドレスと記録されるアドレスとの増減方向を示した図面である。
【図４Ｄ】  本発明の第１参考例による平行スパイラルトラック型光ディスクで物理的なアドレスと記録されるアドレスとの増減方向を示した図面である。
【図５Ａ】  本発明の第１参考例による平行スパイラルトラック型光ディスクで物理的なアドレスと記録されるアドレスとの増減方向を示した図面である。
【図５Ｂ】  本発明の第１参考例による平行スパイラルトラック型光ディスクで物理的なアドレスと記録されるアドレスとの増減方向を示した図面である。
【図５Ｃ】  本発明の第１参考例による平行スパイラルトラック型光ディスクで物理的なアドレスと記録されるアドレスとの増減方向を示した図面である。
【図５Ｄ】  本発明の第１参考例による平行スパイラルトラック型光ディスクで物理的なアドレスと記録されるアドレスとの増減方向を示した図面である。
【図６Ａ】  本発明の第１参考例による平行スパイラルトラック型光ディスクで物理的なアドレスと記録されるアドレスとの増減方向を示した図面である。
【図６Ｂ】  本発明の第１参考例による平行スパイラルトラック型光ディスクで物理的なアドレスと記録されるアドレスとの増減方向を示した図面である。
【図６Ｃ】  本発明の第１参考例による平行スパイラルトラック型光ディスクで物理的なアドレスと記録されるアドレスとの増減方向を示した図面である。
【図６Ｄ】  本発明の第１参考例による平行スパイラルトラック型光ディスクで物理的なアドレスと記録されるアドレスとの増減方向を示した図面である。
【図７Ａ】  本発明の第２参考例による第１逆スパイラルトラック型光ディスクで物理的なアドレスと記録されるアドレスとの増減方向を示した図面である。
【図７Ｂ】  本発明の第２参考例による第１逆スパイラルトラック型光ディスクで物理的なアドレスと記録されるアドレスとの増減方向を示した図面である。
【図７Ｃ】  本発明の第４参考例による第１逆スパイラルトラック型光ディスクで物理的なアドレスと記録されるアドレスとの増減方向を示した図面である。
【図７Ｄ】  本発明の第１実施形態による第１逆スパイラルトラック型光ディスクで物理的なアドレスと記録されるアドレスとの増減方向を示した図面である。
【図７Ｅ】  本発明の第５参考例による第１逆スパイラルトラック型光ディスクで物理的なアドレスと記録されるアドレスとの増減方向を示した図面である。
【図８Ａ】  本発明の第３参考例による第２逆スパイラルトラック型光ディスクで物理的なアドレスと記録されるアドレスとの増減方向を示した図面である。
【図８Ｂ】  本発明の第３参考例による第２逆スパイラルトラック型光ディスクで物理的なアドレスと記録されるアドレスとの増減方向を示した図面である。
【図８Ｃ】  本発明の第６参考例による第２逆スパイラルトラック型光ディスクで物理的なアドレスと記録されるアドレスとの増減方向を示した図面である。
【図８Ｄ】  本発明の第７参考例による第２逆スパイラルトラック型光ディスクで物理的なアドレスと記録されるアドレスとの増減方向を示した図面である。
【符号の説明】
Ｌ０：第１記録層
Ｌ１：第２記録層
Ｐ１，Ｐ２：物理的なアドレス
Ｒ１，Ｒ２：記録されるアドレス
【図１Ａ】
0004166999.tif 000002
【図１Ｂ】
0004166999.tif 000003
【図１Ｃ】
0004166999.tif 000004
【図２Ａ】
0004166999.tif 000005
【図２Ｂ】
0004166999.tif 000006
【図２Ｃ】
0004166999.tif 000007
【図３Ａ】
0004166999.tif 000008
【図３Ｂ】
0004166999.tif 000009
【図３Ｃ】
0004166999.tif 000010
【図３Ｄ】
0004166999.tif 000011
【図４Ａ】
0004166999.tif 000012
【図４Ｂ】
0004166999.tif 000013
【図４Ｃ】
0004166999.tif 000014
【図４Ｄ】
0004166999.tif 000015
【図５Ａ】
0004166999.tif 000016
【図５Ｂ】
0004166999.tif 000017
【図５Ｃ】
0004166999.tif 000018
【図５Ｄ】
0004166999.tif 000019
【図６Ａ】
0004166999.tif 000020
【図６Ｂ】
0004166999.tif 000021
【図６Ｃ】
0004166999.tif 000022
【図６Ｄ】
0004166999.tif 000023
【図７Ａ】
0004166999.tif 000024
【図７Ｂ】
0004166999.tif 000025
【図７Ｃ】
0004166999.tif 000026
【図７Ｄ】
0004166999.tif 000027
【図７Ｅ】
0004166999.tif 000028
【図８Ａ】
0004166999.tif 000029
【図８Ｂ】
0004166999.tif 000030
【図８Ｃ】
0004166999.tif 000031
【図８Ｄ】
0004166999.tif 000032